(57)【特許請求の範囲】
【請求項１】
物品収納部を有する筐体と、前記物品収納部を開閉可能として前記筐体に装着した開閉体とのいずれか一方に設けた取付面に本体が取り付けられ、かつ前記本体に設けた操作部材の操作により、係止部材が、前記筐体と前記開閉体とのいずれか他方に係脱することによって、前記開閉体を施錠および解錠しうるようにした施錠装置における施錠状態と解錠状態を表示する装置であって、
前記本体に設けた表示窓を有する収容部と、
前記収容部内に収容され、前記操作部材の施解錠操作に連動して、施錠位置と解錠位置とに移動させられるようにした移動部材と、
前記移動部材に設けられ、かつ移動部材が、施錠位置と解錠位置とのいずれか一方に位置しているときは、前記表示窓内を区分した複数の領域に露呈し、前記移動部材が施錠位置と解錠位置とのいずれか他方に位置しているときは、前記表示窓内の複数の領域から退避するようにした複数の表示片
とを備え、前記表示窓を、移動部材の移動方向に複数に区分し、各区分ごとに配設した複数の遮蔽板を、前記表示窓の奥行き方向に階段状をなすようにして収容部内に設け、前記複数の遮蔽板の段差部より、複数の表示片が前記移動部材の移動方向に出没するようにしたことを特徴とする施錠装置における施解錠表示装置。
【請求項２】
物品収納部を有する筐体と、前記物品収納部を開閉可能として前記筐体に装着した開閉体とのいずれか一方に設けた取付面に本体が取り付けられ、かつ前記本体に設けた操作部材の操作により、係止部材が、前記筐体と前記開閉体とのいずれか他方に係脱することによって、前記開閉体を施錠および解錠しうるようにした施錠装置における施錠状態と解錠状態を表示する装置であって、
前記本体に設けた表示窓を有する収容部と、
前記収容部内に収容され、前記操作部材の施解錠操作に連動して、施錠位置と解錠位置とに移動させられるようにした移動部材と、
前記移動部材に設けられ、かつ移動部材が、施錠位置と解錠位置とのいずれか一方に位置しているときは、前記表示窓内を区分した複数の領域に露呈し、前記移動部材が施錠位置と解錠位置とのいずれか他方に位置しているときは、前記表示窓内の複数の領域から退避するようにした複数の表示片
とを備え、前記施錠装置の本体を、キーシリンダ錠におけるシリンダとし、操作部材を、前記シリンダ内に回動可能として設けたロータとし、このロータの先端部に外向き突起を設け、このロータの先端部を、移動部材の一部に設けた嵌合孔に嵌合し、前記ロータが回動させられることにより、前記外向き突起が、前記移動部材における嵌合孔の内縁に設けた内向き突起に当接して押動し、前記移動部材を、施錠位置と解錠位置とに直線移動させるようにしたことを特徴とする施錠装置における施解錠表示装置。
【請求項３】
物品収納部を有する筐体と、前記物品収納部を開閉可能として前記筐体に装着した開閉体とのいずれか一方に設けた取付面に本体が取り付けられ、かつ前記本体に設けた操作部材の操作により、係止部材が、前記筐体と前記開閉体とのいずれか他方に係脱することによって、前記開閉体を施錠および解錠しうるようにした施錠装置における施錠状態と解錠状態を表示する装置であって、
前記本体に設けた表示窓を有する収容部と、
前記収容部内に収容され、前記操作部材の施解錠操作に連動して、施錠位置と解錠位置とに移動させられるようにした移動部材と、
前記移動部材に設けられ、かつ移動部材が、施錠位置と解錠位置とのいずれか一方に位置しているときは、前記表示窓内を区分した複数の領域に露呈し、前記移動部材が施錠位置と解錠位置とのいずれか他方に位置しているときは、前記表示窓内の複数の領域から退避するようにした複数の表示片
とを備え、前記移動部材が、操作部材の回動操作と連動して、前記操作部材を中心に回動するものとし、かつ表示窓を、前記操作部材を中心とする扇形または円弧状としたことを特徴とする施錠装置における施解錠表示装置。
【請求項４】
各表示片が、収容部内に設けた中仕切に形成したスリット状の開口より、移動部材の移動方向に出没するようにした請求項１〜３のいずれかに記載の施錠装置における施解錠表示装置。
【請求項５】
収容部を、本体の取付面に対して着脱可能に取り付けたケースとした請求項１〜４のいずれかに記載の施錠装置における施解錠表示装置。
【発明の詳細な説明】
【技術分野】
【０００１】
本発明は、施錠装置における施解錠表示装置に係り、特に物品収納庫の施錠装置に適用して好適な施解錠表示装置に関する。
【背景技術】
【０００２】
書類等を収納するキャビネットや収納庫等には、収納されている書類等の盗難や持ち出しを防止するため、施錠装置を設けるのが一般的である。従来、施錠装置が施錠されているか、又は解錠されているかを即座に識別できるようにするため、施錠装置の施錠状態を表示する施解錠表示装置が提案されている（例えば、特許文献１〜３参照）。
【先行技術文献】
【特許文献】
【０００３】
【特許文献１】特開平８−１２８２４３号公報
【特許文献２】特開平９−２５７５１号公報
【特許文献３】実用新案登録第３１２８７９４号公報
【発明の概要】
【発明が解決しようとする課題】
【０００４】
しかし、従来の施錠装置における施解錠表示装置は、施錠状態又は解錠状態を表示するための表示面積が比較的小さく、施解錠表示装置から比較的遠く離れた位置では施錠状態であるか解錠状態であるかを視認するのが困難になるという問題がある。
【０００５】
本発明は、上記問題点に鑑みてなされたもので、操作部材の移動ストロークが小さくても、表示面積を大きくでき、遠く離れた位置からでも、施錠状態であるか解錠状態であるかを、瞬時に確実に視認できるようにした施錠装置における施解錠表示装置を提供することを目的としている。
【課題を解決するための手段】
【０００６】
本発明によると、上記課題は、次のようにして解決される。
（１）物品収納部を有する筐体と、前記物品収納部を開閉可能として前記筐体に装着した開閉体とのいずれか一方に設けた取付面に本体が取り付けられ、かつ前記本体に設けた操作部材の操作により、係止部材が、前記筐体と前記開閉体とのいずれか他方に係脱することによって、前記開閉体を施錠および解錠しうるようにした施錠装置における施錠状態と解錠状態を表示する装置であって、前記本体に設けた表示窓を有する収容部と、前記収容部内に収容され、前記操作部材の施解錠操作に連動して、施錠位置と解錠位置とに移動させられるようにした移動部材と、前記移動部材に設けられ、かつ移動部材が、施錠位置と解錠位置とのいずれか一方に位置しているときは、前記表示窓内を区分した複数の領域に露呈し、前記移動部材が施錠位置と解錠位置とのいずれか他方に位置しているときは、前記表示窓内の複数の領域から退避するようにした複数の表示片とを備え、前記表示窓を、移動部材の移動方向に複数に区分し、各区分ごとに配設した複数の遮蔽板を、前記表示窓の奥行き方向に階段状をなすようにして収容部内に設け、前記複数の遮蔽板の段差部より、複数の表示片が前記移動部材の移動方向に出没するようにものとする。
【０００７】
このような構成とすると、施錠装置における操作部材の移動ストロークが小さくても、表示片の枚数を多くすることにより、表示窓内における表示切換面積を大とすることができ、施解錠表示装置から遠く離れた位置からでも施錠状態であるか解錠状態であるかを、瞬時に確実に視認することができる。
また、表示片及び装置全体を薄くできるので、省スペース化が可能になる。
【０００８】
（２）物品収納部を有する筐体と、前記物品収納部を開閉可能として前記筐体に装着した開閉体とのいずれか一方に設けた取付面に本体が取り付けられ、かつ前記本体に設けた操作部材の操作により、係止部材が、前記筐体と前記開閉体とのいずれか他方に係脱することによって、前記開閉体を施錠および解錠しうるようにした施錠装置における施錠状態と解錠状態を表示する装置であって、前記本体に設けた表示窓を有する収容部と、前記収容部内に収容され、前記操作部材の施解錠操作に連動して、施錠位置と解錠位置とに移動させられるようにした移動部材と、前記移動部材に設けられ、かつ移動部材が、施錠位置と解錠位置とのいずれか一方に位置しているときは、前記表示窓内を区分した複数の領域に露呈し、前記移動部材が施錠位置と解錠位置とのいずれか他方に位置しているときは、前記表示窓内の複数の領域から退避するようにした複数の表示片とを備え、前記施錠装置の本体を、キーシリンダ錠におけるシリンダとし、操作部材を、前記シリンダ内に回動可能として設けたロータとし、このロータの先端部に外向き突起を設け、このロータの先端部を、移動部材の一部に設けた嵌合孔に嵌合し、前記ロータが回動させられることにより、前記外向き突起が、前記移動部材における嵌合孔の内縁に設けた内向き突起に当接して押動し、前記移動部材を、施錠位置と解錠位置とに直線移動させるようにする。
【０００９】
このような構成とすると、施錠装置における操作部材の移動ストロークが小さくても、表示片の枚数を多くすることにより、表示窓内における表示切換面積を大とすることができ、施解錠表示装置から遠く離れた位置からでも施錠状態であるか解錠状態であるかを、瞬時に確実に視認することができる。
また、既設の施錠装置のキーシリンダにおけるロータに外向き突起を有するキャップを被せることにより、本発明の施解錠表示装置を簡単に適用できる。
【００１０】
（３）物品収納部を有する筐体と、前記物品収納部を開閉可能として前記筐体に装着した開閉体とのいずれか一方に設けた取付面に本体が取り付けられ、かつ前記本体に設けた操作部材の操作により、係止部材が、前記筐体と前記開閉体とのいずれか他方に係脱することによって、前記開閉体を施錠および解錠しうるようにした施錠装置における施錠状態と解錠状態を表示する装置であって、前記本体に設けた表示窓を有する収容部と、前記収容部内に収容され、前記操作部材の施解錠操作に連動して、施錠位置と解錠位置とに移動させられるようにした移動部材と、前記移動部材に設けられ、かつ移動部材が、施錠位置と解錠位置とのいずれか一方に位置しているときは、前記表示窓内を区分した複数の領域に露呈し、前記移動部材が施錠位置と解錠位置とのいずれか他方に位置しているときは、前記表示窓内の複数の領域から退避するようにした複数の表示片とを備え、前記移動部材が、操作部材の回動操作と連動して、前記操作部材を中心に回動するものとし、かつ表示窓を、前記操作部材を中心とする扇形または円弧状とする。
【００１１】
このような構成とすると、施錠装置における操作部材の移動ストロークが小さくても、表示片の枚数を多くすることにより、表示窓内における表示切換面積を大とすることができ、施解錠表示装置から遠く離れた位置からでも施錠状態であるか解錠状態であるかを、瞬時に確実に視認することができる。
また、移動部材が回動するタイプの施解錠表示装置を、移動部材が直線移動するタイプの施解錠表示装置を適用できない場所に適用することが可能になるとともに、移動部材を操作部材と一体的に形成することができ、構造を簡素化できる。
【００１２】
（４）上記(１)〜(３)項のいずれかにおいて、各表示片が、収容部内に設けた中仕切に形成したスリット状の開口より、移動部材の移動方向に出没するようにする。
【００１３】
このような構成とすると、簡単な構成で複数の表示片を表示窓に出没させることができるので、小型で安価に製造できる。
【００１４】
（５）上記(１)〜(４)項のいずれかにおいて、収容部を、本体の取付面に対して着脱可能に取り付けたケースとする。
【００１５】
このような構成とすると、施解錠表示装置を有していない既存の施錠装置を設けた家具等にも、施解錠表示装置を後付けすることができるとともに、施解錠表示装置を簡単に外して、施解錠表示装置の有しない施錠装置に戻すこともできる。
【発明の効果】
【００１６】
本発明によると、操作部材の移動ストロークが小さくても、表示面積を大きくでき、遠く離れた位置からでも、施錠状態であるか解錠状態であるかを、瞬時に確実に視認できるようにした施解錠表示装置を提供することができる。
【図面の簡単な説明】
【００１７】
【図１】本発明の第１の実施形態を備えるキャビネットの正面図である。
【図２】図１のII−II線に沿う拡大縦断平面図である。
【図３】第１の実施形態の施解錠表示装置の拡大正面図である
【図４】図２のIV−IV線に沿う縦断正面図である。
【図５】図４図示の状態から、操作部材を９０°回動させたときの状態を示す図４と同様の縦断正面図である。
【図６】図５図示の状態から、操作部材をさらに９０°回動させたときの状態を示す図４と同様の縦断正面図である。
【図７】本発明の第２の実施形態を示す正面図である。
【発明を実施するための形態】
【００１８】
以下、本発明の実施形態を、添付図面に基づいて説明する。
図１〜図６は、本発明の第１の実施形態を示す。
図１に示すように、キャビネット１は、前面が開口する箱状をなし、内部に物品収納部２を有する筐体３と、この筐体３の物品収納部２に前方に引出し可能として装着した開閉体である上中下３段の引出し４とを備えている。４ａは、各引出し４の前面に設けた取手である。
開閉体としては、このような引出し４だけでなく、筐体３の前面に開閉可能として装着した片開き、または両開きの扉等とすることができる。
【００１９】
筐体３の上框３ａの前面中央には、施錠装置５のための取付面３ｂが設けられており、この取付面３ｂには、図２に示すように、施錠装置５の本体であるキーシリンダ錠６のシリンダ７が固着されている。
【００２０】
シリンダ７内には、施錠装置５の操作部材をなすロータ８が、その前端部が若干前方に突出するようにして回転自在に嵌合されている。
ロータ８の前面には、キー挿入孔９が設けられており、このキー挿入孔９にキー１０を挿入して、キー１０とともに、ロータ８を左方向に１８０°回転させることにより、ロータ８の後端に連係した連係機構(図示略)を介して、筐体３内に設けた３個の係止部材(図示略)を、各引出し４に係合させ、全引出し４を施錠することができ、またその施錠状態から、キー１０とともに、ロータ８を右方向に１８０°回転させ、連係機構を介して、各係止部材を、各引出し４から離脱させることにより、解錠することができるようになっている。
なお、連係機構や係止部材は、公知の構成のものでよく、しかも本発明には直接関係しないので、図示および詳細な説明は省略する。
【００２１】
図１〜図４に示すように、筐体３の上框３ａにおける取付面３ｂには、施錠装置５における施錠状態と解錠状態を表示する施解錠表示装置１１が設けられている。
この施解錠表示装置１１は、ロータ８の前端部が遊通する大径孔１２が設けられ、かつ取付面３ｂに固着されるか、または両面接着テープや永久磁石等(図示略)をもって着脱可能として取り付けられた横長のベース板１３と、ベース板１３の前面に着脱可能として取り付けられ、かつ前面に、キー１０のキー挿入孔９への挿入と回動操作を許容するキー挿通孔１４、および横長の表示窓１５が設けられた後面が開口する横長箱状のケース(収容部)１６と、ロータ８の先端部に固嵌され、かつ外周部の上下部に１対の外向き突起１７、１８が突設されたキャップ１９と、ケース１６内に左右方向に摺動可能として収容され、操作部材であるロータ８の施解錠操作に連動して、左限の施錠位置と右限の解錠位置とに移動させられるようにした移動部材２０と、この移動部材２０の左右方向の移動を案内する中仕切２１とを備えている。
【００２２】
キャビネット１の取付面３ｂに、施解錠表示装置１１を有しない既存の施錠装置が装着されている場合は、チェンジキー(図示略)を用いて、キーシリンダ錠６における既存のロータを含む内筒をシリンダ７から抜き出し、キャップ１９付きのロータ８が設けられた専用の内筒７ａを含む内筒７ａを、シリンダ７に付け替えればよい。
【００２３】
ケース１６は、その後端部内面の適所に設けた複数の凹部２２に、ベース板１３の前面における周縁部に前向き突設した複数の弾性係合爪２３を係止させることにより、ベース板１３に着脱可能として取り付けられており、ベース板１３はケースの一部をなしている。
【００２４】
移動部材２０は、左右方向を向く垂直の薄板部２４と、その左端に連設され、かつ左側部が後方に向かって漸次階段状に後退する段状部２５とからなり、段状部２５の各段の左側前縁には、左方を向く複数の薄板状の表示片２６が設けられている。
【００２５】
薄板部２４には、左右の両側縁２７ａ、２７ｂが上下方向を向く直線状をなし、上縁２７ｃおよび下縁２７ｄの両側部が、円弧状をなすほぼ小判形の嵌合孔２７が設けられており、この嵌合孔２７の上縁２７ｃの中央部には、下方を向く内向き突起２８が設けられている。
【００２６】
嵌合孔２７における左右の両側縁２７ａ、２７ｂ間の間隔、および上縁２７ｃと下縁２７ｄとの間隔は、キャップ１９における外向き突起１７、１８の先端間の間隔と同一か、または若干大としてある。
【００２７】
中仕切２１は、表示窓１５を、移動部材２０の移動方向である左右方向に４領域に区分した各領域を遮蔽する複数の遮蔽板２１ａ〜２１ｄと、前面板２１ｅとを、表示窓１５の奥行き方向に階段状をなすようにして、その上下の端部を、上面板および下面板(いずれも図示略)に固着し、この上面板および下面板を、ベース板１３の前面に固着したものよりなっている。
【００２８】
中仕切２１における各遮蔽板２１ａ〜２１ｄと前面板２１ｅとの各段差部には、左方に開口する上下方向に長いスリット状の開口２９が形成され、各開口２９を通して、移動部材２０における各表示片２６が、左方に出没しうるようになっている。
【００２９】
遮蔽板２１ａ〜２１ｄの前面と各表示片２６の前面は、互いに色彩または模様等を異ならせておくのが好ましい。例えば、遮蔽板２１ａ〜２１ｄの前面は、例えば白色等とし、各表示片２６の前面は、例えば赤色等とするのが好ましい。
【００３０】
キャップ１９の前面にも、ロータ８の前面におけるのと同じキー挿入孔９が設けられている。
【００３１】
この実施形態においては、図１〜図４に示す解錠状態では、キャップ１９は移動部材２０の嵌合孔２７内に嵌合され、キャップ１９の両外向き突起１７、１８は上下に位置し、上方の外向き突起１７の右側縁には、移動部材２０における内向き突起２８の左側縁が接触または近接しており、移動部材２０の各表示片２６は、中仕切２１の各遮蔽板２１ｂ〜２１ｄと前面板２１ｅとによって前面が覆われ、表示窓１５には、４枚の遮蔽板２１ａ〜２１ｄの前面が前方に露呈し、表示窓１５内は、例えばすべて白色となっている。
【００３２】
この状態から、キャップ１９およびロータ８のキー挿入孔９に、キー１０を挿入し、キー１０とともに、キャップ１９およびロータ８を左方向に９０°回転させると、キャップ１９の上方の外向き突起１７の先端が、嵌合孔２７の左方の側縁２７ａを左方に押動して、移動部材２０は、図５に示すように、解錠位置と施錠位置との中間位置まで移動させられる。
【００３３】
このとき、移動部材２０における各表示片２６の左端部は、中仕切２１の各遮蔽板２１ａ〜２１ｄと前面板２１ｅとの段差部の各開口２９から、ほぼ半ストローク分だけ左方に突出する。
【００３４】
図５に示す状態から、キー１０とともに、キャップ１９およびロータ８を左方向にさらに９０°回転させると、その最後のストローク部分で、キャップ１９の外向き突起１８が、移動部材２０における内向き突起２８を左方に押動し、移動部材２０は、図６に示すように、施錠位置まで移動させられ、それによって、上述したように、各引出し４はすべて施錠させられ、同時に、各表示片２６が中仕切２１の各遮蔽板２１ａ〜２１ｄと前面板２１ｅとの段差部の各開口２９から、全ストローク分だけ左方に突出し、解錠状態において表示窓１５に露呈していたすべての遮蔽板２１ａ〜２１ｄの前面は、各表示片２６に覆われ、表示窓１５には、各表示片２６の前面のみが露呈し、表示窓１５内は、例えばすべて赤色等に変化する。
【００３５】
移動部材２０の解錠位置から施錠位置までの移動ストロークは、この例では、内向き突起２８の左右幅と、１個の外向き突起１７または１８の左右幅との和(両外向き突起１７、１８の左右幅が同一であるとして)となり、それに対して、表示窓１５の左右方向の寸法は、概ね、移動部材２０のこの移動ストローク×表示片２６の枚数とすることができ、ひいては、操作部材であるロータ８の移動ストロークに対して、表示窓１５の表示面積を著しく大とすることができる。したがって、施解錠表示装置１１から遠く離れた場所からでも、施錠状態であるか解錠状態であるかを確実に視認することができる。
【００３６】
図６に示す施錠状態から、キー１０とともに、キャップ１９およびロータ８を右方向に１８０°回転させることにより、図４に示す元の解錠状態に戻すことができる。このときの作用は、上述の解錠状態から施錠状態にするときの作用と左右の方向性が反転するだけで、同様である。すなわち、キャップ１９の外向き突起１８で、嵌合孔２７の右方の側縁２７ｂを右方に押動して、移動部材２０を、図５に示す中間位置まで移動し、キー１０の最後の回動ストロークで、キャップ１９の外向き突起１７により、移動部材２０における内向き突起２８を右方に押動して、移動部材２０は解錠状態に復帰させられ、表示窓１５には、４枚の遮蔽板２１ａ〜２１ｄの前面が前方に露呈し、例えばすべて白色となる。
【００３７】
第１の実施形態は、移動部材２０が左右方向に直線移動するようにしたものであるが、例えば、図７に示すように、ケース１６’の表示窓１５’、移動部材２０’、中仕切２１’等を、すべてロータ８を中心とする円弧状または扇形に形成するとともに、移動部材２０’を、ロータ８と一体として、ロータ８を解錠位置から施錠位置、またはその逆方向に回動させることにより、円弧状とした移動部材２０’の３枚の表示片２６’が、中仕切２１’における各遮蔽板２１ａ’〜２１ｃ’の段差部から左方に出没して、表示窓１５’内の色彩や模様を変化させるようにしてもよい。
【００３８】
また本発明は、上記実施形態のみに限定されるものではなく、特許請求の範囲を逸脱することなく、例えば、次のような幾多の変形した態様での実施が可能である。
(１)  施錠装置の本体であるキーシリンダ錠のシリンダ７および施解錠表示装置１１を、開閉体である引出し４の前面、または扉の前面等に取り付け、施錠装置の操作部材であるロータ８の操作により、係止部材が、筐体３に係脱することによって、引出し４または扉等を施錠または解錠しうるようにする。
(２)  施錠装置を、キーシリンダ錠以外の型式のものとする。
例えば、テンキーその他の入力手段と操作レバーとを組み合わせた型式のものとし、テンキー等の入力手段を正しく入力した後に、操作部材である操作レバーを解錠方向に回動させることにより、始めて係止部材が、筐体または開閉体から離脱し、開閉体を開くことができるようなものとし、このときの操作レバーの回動操作に連動して、移動部材が移動させられるようにする。
(３)  表示片２６の枚数を、２枚以上の任意のものとする。この枚数を増やすことにより、表示窓１５の面積を大とすることができる。
【符号の説明】
【００３９】
１  キャビネット
２  物品収納部
３  筐体
３ａ上框
３ｂ取付面
４  引出し(開閉体)
４ａ取手
５  施錠装置
６  キーシリンダ錠
７  シリンダ(本体)
７ａ内筒
８  ロータ(操作部材)
９  キー挿入孔
１０  キー
１１  施解錠表示装置
１２  大径孔
１３  ベース板
１４  キー挿通孔
１５  表示窓
１６  ケース(収容部)
１７、１８  外向き突起
１９  キャップ
２０  移動部材
２１  中仕切
２１ａ〜２１ｄ  遮蔽板
２１ｅ前面板
２２  凹部
２３  弾性係合爪
２４  薄板部
２５  段状部
２６  表示片
２７  嵌合孔
２７ａ、２７ｂ  側縁
２７ｃ上縁
２７ｄ下縁
２８  内向き突起
２９  開口
【図１】
0005461949.tif 000002
【図２】
0005461949.tif 000003
【図３】
0005461949.tif 000004
【図４】
0005461949.tif 000005
【図５】
0005461949.tif 000006
【図６】
0005461949.tif 000007
【図７】
0005461949.tif 000008